【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
開口を有する有底筒状の角形外装体と、
前記角形外装体内に収容された、正極極板及び負極極板を有する電極体と、
前記正極極板に電気的に接続された正極集電体と、
前記負極極板に電気的に接続された負極集電体と、
前記外装体の開口を封止する封口体と、
前記封口体に設けられた貫通孔に第１絶縁部材を介して前記封口体と電気的に絶縁された状態で挿通された少なくとも１つの外部端子と、
筒状部を有する導電部材と、
電池内部の圧力が予め定めた所定値よりも大きくなると変形する導電性材料からなる反転板と、
前記反転板と前記正極集電体及び負極集電体の少なくとも一方との間に介在された貫通孔が形成された第２絶縁部材と、
前記正極集電体及び負極集電体の少なくとも一方が前記第２絶縁部材に形成された貫通孔を介して前記反転板に接続されており、
前記導電部材の筒状部は、一方の端部が前記外部端子に電気的に接続され、他方の端部が前記反転板によって封止されている角形二次電池において、
前記正極集電体及び前記負極集電体の少なくとも一方は、前記封口体と平行な第１領域と、前記第１領域から前記電極体の方向に延びて前記正極極板又は前記負極極板と接続されている第２領域とを有し、
前記第１領域には、前記反転板との接続部と、前記接続部の中心を通る前記封口板の長辺方向に沿った中心線上であって、前記接続部の両側に形成された第１開孔及び第２開孔を有し、
前記第２絶縁部材には、前記第１領域に形成された前記第１開孔、及び前記第２開孔に対応する位置にそれぞれ突起が形成され、
前記第１領域に形成された前記第１開孔、及び前記第２開孔は、それぞれ前記第２絶縁部材に形成された突起と係合されて第１固定部、及び第２固定部が形成されていることを特徴とする角形二次電池。
【請求項２】
前記第１領域には、前記中心線から離間した位置に形成された少なくとも１つの第３開孔又は切り欠きを有し、
前記第２絶縁部材には、前記少なくとも１つの第３開孔又は切り欠きに対応する位置に突起が形成され、
前記第１領域に形成された前記少なくとも１つの第３開孔又は切り欠きは、前記第２絶縁部材に形成された突起と係合されて第３固定部が形成されていることを特徴とする請求項１に記載の角形二次電池。
【請求項３】
前記第２絶縁部材に形成された突起は頂部に他の部分よりも径が大きい拡径部が形成されており、前記第１固定部、前記第２固定部及び前記第３固定部は、前記拡径部により前記第２絶縁部材の突起と前記第１領域に形成された前記第１開孔、前記第２開孔及び前記少なくとも１つの第３開孔又は切り欠きに係合させることにより形成されていることを特徴とする請求項２に記載の角形二次電池。
【請求項４】
前記接続部、前記第１固定部及び前記第２固定部は、前記中心線上に一直線に配置されており、前記第３固定部は、前記中心線と直交する方向において前記中心線よりも前記第１領域と前記第２領域との間の境界部に近い領域に設けられていることを特徴とする請求項２又は３に記載の角形二次電池。
【請求項５】
前記第２領域は２箇所が前記中心線に対して互いに反対側の位置に設けられており、前記第３固定部は前記中心線とは直交する方向の両側に各１箇所設けられていることを特徴とする請求項２又は３に記載の角形二次電池。
【請求項６】
前記接続部は、前記第１固定部と前記第２固定部のうちの前記境界部に近い方の中心と前記第３固定部の中心とを結んだ線に対して、前記境界部から遠い側に形成されていること特徴とする請求項２又は３に記載の角形二次電池。
【請求項７】
前記第３固定部は、前記接続部よりも前記第２領域側であって、前記接続部と前記境界部とを結ぶ領域から離間した位置に形成されていることを特徴とする請求項２又は３に記載の角形二次電池。
【請求項８】
前記第３固定部は、前記第１固定部に対応する位置と前記第２固定部に対応する位置の間に形成されていることを特徴とする請求項２又は３に記載の角形二次電池。
【請求項９】
前記第３固定部は、前記第１固定部及び前記第２固定部よりも径が小さいことを特徴とする請求項２〜８のいずれかに記載の角形二次電池。
【請求項１０】
前記第１領域及び前記第２領域は、一枚の剛性を有する板材を折り曲げることにより形成されたものであることを特徴とする請求項１〜９のいずれかに記載の角形二次電池。
【請求項１１】
前記外部端子には外部と前記導電部材の筒状部の内面側との間を連通する貫通孔が形成されており、前記外部端子の前記貫通孔は封止部材によって封止されていることを特徴とする請求項１〜１０のいずれかに記載の角形二次電池。
【請求項１２】
前記電極体は、偏平形電極体であり、一方側の端部に複数枚積層された正極芯体露出部を有し、他方側の端部に複数枚積層された負極芯体露出部を有し、前記正極芯体露出部は前記角形外装体の一方側の側壁に対向し、前記負極芯体露出部が前記角形外装体の他方側の側壁に対向するように配置され、前記正極集電体は前記正極芯体露出部に接続され、前記負極集電体は前記負極芯体露出部に接続されていることを特徴とする請求項１〜１１のいずれかに記載の角形二次電池。
【請求項１３】
開口を有する角形外装体と、
前記角形外装体内に収容された、正極極板及び負極極板を有する電極体と、
前記正極極板に電気的に接続された正極集電体と、
前記負極極板に電気的に接続された負極集電体と、
前記外装体の開口を封止する封口体と、
前記封口体に設けられた貫通孔に挿通された外部端子と、
筒状部を有する導電部材と、
電池内部の圧力が予め定めた所定値よりも大きくなると変形する導電性材料からなる反転板と、
前記反転板と前記正極集電体又は負極集電体の間に介在され、貫通孔が形成された絶縁部材と、
前記正極集電体又は負極集電体が前記絶縁部材に形成された貫通孔を介して前記反転板に接続されており、
前記導電部材の筒状部は、一方の端部が前記外部端子に電気的に接続され、他方の端部が前記反転板によって封止されている角形二次電池において、
前記正極集電体又は負極集電体は、前記封口体と平行な第１領域と、前記第１領域から前記電極体の方向に延びて前記正極極板又は前記負極極板と接続されている第２領域とを有し、
前記第１領域には、前記反転板との接続部と、前記接続部の中心を通る前記封口板の長辺方向に沿った中心線上であって、前記接続部の両側に形成された第１開孔及び第２開孔を有し、
前記絶縁部材には、前記第１領域に形成された前記第１開孔、及び前記第２開孔に対応する位置にそれぞれ突起が形成され、
前記第１領域に形成された前記第１開孔、及び前記第２開孔は、それぞれ前記絶縁部材に形成された突起と係合されて第１固定部、及び第２固定部が形成されていることを特徴とする角形二次電池。
【請求項１４】
前記第１領域には、前記中心線から離間した位置に形成された少なくとも１つの第３開孔又は切り欠きを有し、
前記絶縁部材には、前記少なくとも１つの第３開孔又は切り欠きに対応する位置に突起が形成され、
前記第１領域に形成された前記少なくとも１つの第３開孔又は切り欠きは、前記絶縁部材に形成された突起と係合されて第３固定部が形成されていることを特徴とする請求項１３に記載の角形二次電池。
【手続補正２】
【補正対象書類名】明細書
【補正対象項目名】００１３
【補正方法】変更
【補正の内容】
【００１３】
上記目的を達成するため、本発明の角形二次電池は、
開口を有する有底筒状の角形外装体と、
前記角形外装体内に収容された、正極極板及び負極極板を有する電極体と、
前記正極極板に電気的に接続された正極集電体と、
前記負極極板に電気的に接続された負極集電体と、
前記外装体の開口を封止する封口体と、
前記封口体に設けられた貫通孔に第１絶縁部材を介して前記封口体と電気的に絶縁された状態で挿通された少なくとも１つの外部端子と、
筒状部を有する導電部材と、
電池内部の圧力が予め定めた所定値よりも大きくなると変形する導電性材料からなる反転板と、
前記反転板と前記正極集電体及び負極集電体の少なくとも一方との間に介在された貫通孔が形成された第２絶縁部材と、
前記正極集電体及び負極集電体の少なくとも一方が前記第２絶縁部材に形成された貫通孔を介して前記反転板に接続されており、
前記導電部材の筒状部は、一方の端部が前記外部端子に電気的に接続され、他方の端部が前記反転板によって封止されている角形二次電池において、
前記正極集電体及び前記負極集電体の少なくとも一方は、前記封口体と平行な第１領域と、前記第１領域から前記電極体の方向に延びて前記正極極板又は前記負極極板と接続されている第２領域とを有し、
前記第１領域には、前記反転板との接続部と、前記接続部の中心を通る前記封口板の長辺方向に沿った中心線上であって、前記接続部の両側に形成された第１開孔及び第２開孔を有し、
前記第２絶縁部材には、前記第１領域に形成された前記第１開孔、及び前記第２開孔に対応する位置にそれぞれ突起が形成され、
前記第１領域に形成された前記第１開孔、及び前記第２開孔は、それぞれ前記第２絶縁部材に形成された突起と係合されて第１固定部、及び第２固定部が形成されている。  
前記第１領域には、前記中心線から離間した位置に形成された少なくとも１つの第３開孔又は切り欠きを有し、前記第２絶縁部材には、前記少なくとも１つの第３開孔又は切り欠きに対応する位置に突起が形成され、前記第１領域に形成された前記少なくとも１つの第３開孔又は切り欠きは、前記第２絶縁部材に形成された突起と係合されて第３固定部が形成されていることが好ましい。